(57)【特許請求の範囲】
【請求項１】
歯車(50ｇ)を支持する回転軸(50)と、
前記回転軸(50)および前記歯車(50ｇ)を収容する変速機ケース(10)と、
前記変速機ケース(10)の支持壁(15ＡＬ)に設けられた支持孔(50ＨＬ)に変速機ケース(10)の内側から嵌められて、前記回転軸(50)を回転自在に支持する軸受(51Ｌ)とを備えた変速機(５)の軸受支持構造において、
前記軸受(51Ｌ)の、前記変速機ケース(10)内側向きの軸方向端面(92)に、一端側(90ａ,190ａ)が当接して前記軸受(51Ｌ)を抜け止めし、他端側(90ｂ,190ｂ)が、前記支持壁(15ＡＬ)以外の前記歯車(50ｇ)の外周面が臨む前記変速機ケース(10)の内、前記回転軸(50)の直上の前記変速機ケース(10)の上壁(10ｃ)の内面(10ｂ)に、固定手段(93)によって固定された軸受規制部材(90,190)を備え、
前記固定手段(93)は頭部(93ａ)を有する締結部材(93)であり、
前記回転軸(50)には、前記軸受(51Ｌ)に隣り合って外径が異なる複数の前記歯車(50ｇ)が並んで支持され、複数の前記歯車(50ｇ)のうちで相対的に小径の一小径歯車(ｍ2)の外周面に臨み、該一小径歯車(ｍ2)の歯車幅寸法内に位置するように前記頭部(93ａ)が取り付けられたことを特徴とする変速機の軸受支持構造。
【請求項２】
前記頭部(93ａ)は、前記回転軸(50)の軸方向視で、複数の前記歯車(50ｇ)のうちで相対的に大径の一大径歯車(ｍ6)と重なる位置に配置されたことを特徴とする請求項１記載の変速機の軸受支持構造。
【請求項３】
前記軸受規制部材(90,190)と前記締結部材(93)の頭部(93ａ)との間に、同頭部(93ａ)と係合して前記締結部材(93)の回転を規制する緩み止め部材(94)が挟まれて、前記軸受規制部材(90,190)が固定されたことを特徴とする請求項１または請求項２記載の変速機の軸受支持構造。
【請求項４】
前記回転軸(50)の複数の前記歯車(50ｇ)のうち、前記締結部材(93)の頭部(93ａ)に臨む歯車(ｍ2)と異なる他の歯車(ｍ5)の歯面(ｍ5ｔ)に向けて、前記変速機ケース(10)の上壁(10ｃ)に回転センサ(85)が取り付けられたことを特徴とする請求項１ないし請求項３のいずれか記載の変速機の軸受支持構造。
【請求項５】
前記締結部材(93)と前記回転センサ(85)とはそれぞれ、前記回転軸(50)に、軸方向においてその両端寄りに互いに離れて配置されたことを特徴とする請求項４記載の変速機の軸受支持構造。
【請求項６】
前記締結部材(93)と前記回転センサ(85)とは、前記回転軸(50)の軸方向視で重ならないように、前記回転軸(50)の周方向にずらして配置され、前記回転センサ(85)が前記変速機ケース(10)の上壁(10ｃ)のセンサ取付け孔(86)に挿入されて固定されたことを特徴とする請求項４または請求項５記載の変速機の軸受支持構造。
【発明の詳細な説明】
【技術分野】
【０００１】
本発明は変速機、特に変速機ケースの支持壁の支持孔に嵌められた軸受に歯車軸が支持される変速機の、軸受支持構造に関する。
【背景技術】
【０００２】
内燃機関に組み込まれた常時噛合式変速機において、変速機の歯車軸の軸受と軸受の中心軸と直交する方向で係合する抜け止めピンを軸受規制部材として、支持壁に挿入固定することで、軸受の抜け止めとしたものが、下記特許文献１に示されている。そのような軸受支持構造では、軸受を嵌合支持する支持壁の支持孔の内周面に、抜け止めピンを挿嵌する貫通孔が開口し、または凹部が形成されるため支持壁の剛性が低下するので、支持孔の強度低下を抑制する対策が必要となる。
【０００３】
そこで、その改良例として、例えば下記特許文献２に示されるように、歯車軸方向の締結ネジで軸受規制部材としてのセットプレートを支持壁に締結し、セットプレートを軸受に係合させて、軸受の軸方向移動を規制するものがあった。しかし、そのような軸受支持構造においては、支持孔の内周面に開口や凹部は設けられないものの、軸受を支持する支持壁にネジ孔を設ける必要があり、支持壁の補強対策が必要となる。また、締結ネジが変速機の歯車の側面に向けて突出する分、歯車との干渉を防止するために歯車軸方向の間隔を設ける必要があることから、変速機の歯車軸が延長されて軸長が増大し、その結果、内燃機関の歯車軸方向の大型化を招くおそれがあった。
【先行技術文献】
【特許文献】
【０００４】
【特許文献１】実開昭５９−１７３６７号公報（第１図）
【特許文献２】実開昭６２−３７６１７号公報（図面）
【発明の概要】
【発明が解決しようとする課題】
【０００５】
本発明は、上記従来技術に鑑み、変速機ケースの支持壁の支持孔に嵌められた軸受に歯車軸が支持される変速機において、支持壁の剛性を保ち、且つ歯車軸の軸長の増大を抑制できる軸受規制部材を備えた変速機の軸受支持構造を提供することを課題とする。
【課題を解決するための手段】
【０００６】
上記の課題を解決するために、請求項１に記載の発明は、歯車を支持する回転軸と、前記回転軸および前記歯車を収容する変速機ケースと、前記変速機ケースの支持壁に設けられた支持孔に変速機ケースの内側から嵌められて、前記回転軸を回転自在に支持する軸受とを備えた変速機の軸受支持構造において、前記軸受の、前記変速機ケース内側向きの軸方向端面に、一端側が当接して前記軸受を抜け止めし、他端側が、前記支持壁以外の前記歯車の外周面が臨む前記変速機ケースの内、前記回転軸の直上の前記変速機ケースの上壁の内面に、固定手段によって固定された軸受規制部材を備え、前記固定手段は頭部を有する締結部材であり、前記回転軸には、前記軸受に隣り合って外径が異なる複数の前記歯車が並んで支持され、複数の前記歯車のうちで相対的に小径の一小径歯車の外周面に臨み、該一小径歯車の歯車幅寸法内に位置するように前記頭部が取り付けられたことを特徴とする変速機の軸受支持構造である。
【０００９】
請求項２に記載の発明は、請求項１に記載の変速機の軸受支持構造において、前記頭部は、前記回転軸の軸方向視で、複数の前記歯車のうちで相対的に大径の一大径歯車と重なる位置に配置されたことを特徴とする。
【００１０】
請求項３に記載の発明は、請求項１または請求項２記載の変速機の軸受支持構造において、前記軸受規制部材と前記締結部材の頭部との間に、同頭部と係合して前記締結部材の回転を規制する緩み止め部材が挟まれて、前記軸受規制部材が固定されたことを特徴とする。
【００１１】
請求項４に記載の発明は、請求項１ないし請求項３のいずれか記載の変速機の軸受支持構造において、前記回転軸の複数の前記歯車のうち、前記締結部材の頭部に臨む歯車と異なる他の歯車の歯面に向けて、前記変速機ケースの上壁に回転センサが取り付けられたことを特徴とする。
【００１２】
請求項５に記載の発明は、請求項４に記載の変速機の軸受支持構造において、前記締結部材と前記回転センサとはそれぞれ、前記回転軸に、軸方向においてその両端寄りに互いに離れて配置されたことを特徴とする。
【００１３】
請求項６に記載の発明は、請求項４または請求項５記載の変速機の軸受支持構造において、前記締結部材と前記回転センサとは、前記回転軸の軸方向視で重ならないように、前記回転軸の周方向にずらして配置され、前記回転センサが前記変速機ケースの上壁のセンサ取付け孔に挿入されて固定されたことを特徴とする。
【発明の効果】
【００１４】
請求項１の発明の変速機の軸受支持構造によれば、一端側が軸受に当接して軸受の抜け出しを防止する軸受規制部材が、その他端側において、歯車の外周面が臨む変速機ケースの内面に固定されたので、軸受を支持する支持壁や、軸受が嵌められる支持孔の内周面に凹部や貫通孔が形成されることがないため、支持壁の剛性を保つことができる。
そして、軸受規制部材の固定手段が、支持壁以外の、歯車の外周面が臨む変速機ケースの内面に配置されるので、固定手段と歯車の側面との干渉が回避できるため、回転軸の軸長の増大を防止でき、内燃機関に組み込まれた変速機においては内燃機関の回転軸方向の大型化を防止できる。
【００１５】
さらに、軸受規制部材の固定手段が、回転軸の直上に取り付けられたので、直上からずらして取り付けられた場合と比べて、軸受規制部材を短く構成できる。
【００１６】
また、軸受規制部材の締結手段の頭部を、複数の歯車のうちで相対的に小径の一小径歯車に臨み、該一小径歯車の歯車幅寸法内に位置させたので、相対的に大径の歯車に臨んで位置させた場合に比べて、締結手段を回転軸中心により近く位置させることができるため、変速機ケースを小型化できる。
【００１７】
請求項２の発明によれば、請求項１の発明の効果に加え、軸受規制部材の締結手段の頭部は、一小径歯車により接近して位置するものとなり、変速機ケースをより小型化できる。
【００１８】
請求項３の発明によれば、請求項１または請求項２の発明の効果に加え、締結部材の緩み止め部材が、軸受規制部材とともに固定されたので、他の特別な取付け手段が不要となり、部品点数を削減できる。
【００１９】
請求項４の発明によれば、請求項１ないし請求項３のいずれかの発明の効果に加え、歯車の歯面に向けて配設され歯車の回転数を検出する回転センサが、締結部材の頭部に臨む歯車と異なる他の歯車の歯面に向けられたので、回転センサと締結部材との干渉を防止できる。
【００２０】
請求項５の発明によれば、請求項４の発明の効果に加え、締結部材と回転センサとが、左右に振り分けられたので、効率よく分配配置され、変速機の大型化を抑制できる。
【００２１】
請求項６の発明によれば、請求項４または請求項５の発明の効果に加え、変速機ケースの上壁のセンサ取付け孔から挿入される回転センサと、上壁に取付けられた締結部材とが、回転軸の周方向にずらされたので、センサ取付け孔と締結部材が螺合する雌ネジ孔との位置が重ならないため、変速機ケースの剛性の低下を抑制できる。
【図面の簡単な説明】
【００２２】
【図１】本発明の一実施形態に係るバランサ付き自動二輪車用の内燃機関の左側面断面図である。
【図２】図１中、II−II矢視によるバランサ付き内燃機関の断面展開図である。なお、図１は、本図中、I−I矢視断面図に相当する。
【図３】図２の、クランクケースに各軸が軸支される部分の、拡大図である。
【図４】図１中、IV−IV矢視により、上側クランクケースと変速機のメイン軸とその左右軸受のみを取り出して示す横断面図である。
【図５】図４中、V−V矢視に相当する、図１のメイン軸周辺の拡大図である。
【図６】図４、図５中の左軸受規制部材の説明図である。
【図７】左軸受規制部材の変形例の説明図である。
【発明を実施するための形態】
【００２３】
図１から図７に基づき、本発明に係る一実施形態の内燃機関の変速機の軸受支持構造につき説明する。
なお、本明細書の説明および特許請求の範囲における前後左右上下等の向きは、本実施形態に係るバランサ付き内燃機関を自動二輪車等の小型車両に搭載した状態での車両の向きに従うものとする。
また、図中矢印ＦＲは車両前方を、ＬＨは車両左方を、ＲＨは車両右方を、ＵＰは車両上方を、それぞれ示す。
【００２４】
図１から図７は、本発明の一実施形態に係るものであり、図１に、本実施形態のバランサ付き内燃機関（以下単に「内燃機関」という）１を、図示しない車両に搭載された状態の姿勢で示す。
本実施形態に係る内燃機関１は、そのクランク軸２を、搭載される車両である図示しない自動二輪車の車幅方向、すなわち左右方向に配向させて自動二輪車に搭載された、水冷直列２気筒の４ストロークサイクル内燃機関である。
【００２５】
図１に示されるように、クランク軸２を車幅方向に配置して軸支するクランクケース10は、クランク軸２を中心に分割面10ａで上下に分割される上下割りに構成され、上側クランクケース10Ａの上には２つのシリンダボア11ａを直列に配列して（図２参照）一体に成形されたシリンダブロック11と、シリンダブロック11に締結されるシリンダヘッド12が順に重ねられて幾らか前方に傾いて立設され、シリンダヘッド12の上にはシリンダヘッドカバー13が被せられ、締結されている。
一方、下側クランクケース10Ｂの下にはオイルパン14が取り付けられる。
【００２６】
図２を参照して、上側クランクケース10Ａと下側クランクケース10Ｂの各ジャーナル壁15Ａ、15Ｂ（Ａは上側、Ｂは下側を示す。以下同じ。ただし、図２には、図１に展開割り線II−IIが示すように、上側のジャーナル壁15Ａのみが図示される。）が、クランク軸２のジャーナル部20を、主軸受（ジャーナル軸受）16を介して上下から挟むようにして支持して、クランク軸２を回転自在に軸支する。
直列２気筒の内燃機関１であるので、クランク軸２は３つのジャーナル部20を有し、上側クランクケース10Ａと下側クランクケース10Ｂの上下それぞれ３つのジャーナル壁15Ａ、15Ｂによりクランク軸２は回転自在に支持される。
【００２７】
また、本実施形態の内燃機関１は、そのクランクケース10内に変速機５が組み込まれている。クランクケース10の各３つのジャーナル壁15Ａ、15Ｂのうち、左端側ジャーナル壁15ＡＬ、15ＢＬと、右端側ジャーナル壁15ＡＲ、15ＢＲ（Ａは上側、Ｂは下側を示す。以下同じ。なお、図２には、上記のように上側のみが図示される。）とは、クランク軸２より後方に延在して、クランクケース10の左右一対の壁部を構成し、クランク軸２のほか、クランク軸２より後方のクランクケース10内に配設される変速機５のメイン軸50、カウンタ軸52、およびバランサ機構７のバランサ軸70を、クランク軸２と平行に回転自在に軸支する「変速機の支持壁」となっている。
【００２８】
すなわち、クランクケース10は、本発明の「変速機ケース」を形成しており、クランク軸２の後方において、変速機５のメイン軸50とその変速ギヤ群50ｇ、カウンタ軸52とその変速ギヤ群52ｇが、変速機ケースとしてのクランクケース10に収容され、変速機の支持壁としての左端側ジャーナル壁15ＡＬ、15ＢＬと、右端側ジャーナル壁15ＡＲ、15ＢＲに回転自在に軸支されている。
【００２９】
上側クランクケース10Ａと下側クランクケース10Ｂは、互いの分割面10ａを合せてボルトにより一体に締結される。
上側クランクケース10Ａと下側クランクケース10Ｂの各３つのジャーナル壁15Ａ、15Ｂのそれぞれにおいて、クランク軸２を挟持する３つのクランク軸支持孔２Ｈ（図３参照）を挟む前後に、それぞれスタッドボルト17（図１参照）が下方から真っ直ぐ上方へ、下側クランクケース10Ｂを貫通して上側クランクケース10Ａの長尺の雌ねじ孔18（図３参照）に螺入して緊締している。
なお、上側クランクケース10Ａと下側クランクケース10Ｂは、上記のスタッドボルト17だけでなく、所要箇所において複数のボルトで締結される。
【００３０】
上側クランクケース10Ａに一体に形成されたシリンダブロック11の２つのシリンダのシリンダボア11ａに、ピストン３が往復摺動可能に嵌合され、ピストン３はコンロッド30を介してクランク軸２のクランクピン部22に連結される。
【００３１】
図１に示されるように、シリンダヘッド12には、シリンダボア11ａ毎に、ピストン３に対向して形成される燃焼室31と、燃焼室31に開口して１対の吸気弁32により開閉される吸気ポート33が後方へ延出し、１対の排気弁34により開閉される排気ポート35が前方に延出し、さらに燃焼室31に臨む点火プラグ36が装着される。
なお、吸気ポート33の上流側開口33ａにはスロットルボディ37が連結されて、その上流に図示しない吸気管を介してエアクリーナが連結される。
排気ポート35の下流側開口35ａには、図示しない排気管を介してマフラが連結される。
【００３２】
各吸気弁32および各排気弁34は、シリンダヘッド12に回転可能に軸支される吸気カム軸38および排気カム軸39により、クランク軸２の回転に同期して開閉駆動される。
そのために、各カム軸38、39には、図２に示されるように、右端部にそれぞれカムスプロケット40、40が嵌着され、クランク軸２の右端部近傍に嵌着される駆動スプロケット23と、カムスプロケット40、40との間にカムチェーン41が掛け渡され、クランク軸２の半分の回転速度で回転駆動される。
シリンダブロック11とシリンダヘッド12の右端部には、カムチェーン41を配設するためのカムチェーン室11ｂ、12ｂが形成されている。
【００３３】
他方、クランクケース10の左側の壁部をなす左端側ジャーナル壁15ＡＬ、15ＢＬから左方へ突出したクランク軸２の左端部には、交流発電機45のアウタロータ45ａが嵌着される。
交流発電機45に左方から、発電機カバー46Ｌが被せられ、左端側ジャーナル壁15ＡＬ、15ＢＬに取り付けられる。交流発電機45の発電コイルを備えたインナステータ45ｂが、発電機カバー46Ｌの内側に支持されてアウタロータ45ａ内に配置される。
【００３４】
以下、図２におけるクランクケース10に各軸が軸支される部分の拡大図である図３を参照して、クランクケース10内のクランク軸２より後方には、変速機５が配設されている。
変速機５は、常時噛合い式のギヤ変速機であり、クランク軸２の後方で斜め上方位置に（図１参照）変速機５のメイン軸50が、上側クランクケース10Ａにおいて、一対の壁部をなし、変速機５の支持壁となる左端側ジャーナル壁15ＡＬと右端側ジャーナル壁15ＡＲに、左軸受51Ｌ、右軸受51Ｒを介して回転自在に軸支される。
本実施形態において、左軸受51Ｌはニードルベアリング、右軸受51Ｒはボールベアリングである。
【００３５】
また、クランク軸２の後方で上側クランクケース10Ａと下側クランクケース10Ｂの分割面10ａに挟まれて、カウンタ軸52が、一対の壁部をなし、変速機５の支持壁となる左端側ジャーナル壁15ＡＬ、15ＢＬと右端側ジャーナル壁15ＡＲ、15ＢＲに、左軸受53Ｌ、右軸受53Ｒを介して回転自在に軸支される。
本実施形態において、左軸受53Ｌはボールベアリング、右軸受53Ｒはニードルベアリングである。
【００３６】
本実施形態において、クランク軸２と平行なメイン軸50とカウンタ軸52に、それぞれ装着される変速ギヤ群50ｇ、52ｇが、互いに対となるギヤ同士を噛合しており、メイン軸50には変速ギヤ群50ｇとして、ｍ1〜ｍ6の６個の変速ギヤが設けてあり、カウンタ軸52には変速ギヤ群52ｇとして、変速ギヤｍ1〜ｍ6に対応し、これらと常時噛み合うｃ1〜ｃ6の６個の変速ギヤが設けてある。なお、添数字1〜6は１速〜６速の変速比を決める変速ギヤであることを示している。
メイン軸50にスプライン嵌合してシフタとなる一体に形成された変速ギヤｍ3、ｍ4、およびカウンタ軸52にスプライン嵌合してシフタとなる変速ギヤｃ5と変速ギヤｃ6の、変速操作機構による軸方向移動によってギヤ切換えがなされて、変速が行われる。
【００３７】
すなわち、図３を参照して、上側クランクケース10Ａにおいて、一対の壁部をなす左端側ジャーナル壁15ＡＬと右端側ジャーナル壁15ＡＲに回動自在に支持されたシフトスピンドル54が、運転者によって回動操作されると、一対の壁部15ＡＬ、15ＡＲに回動自在に支持されたシフトドラム55が回動操作され、一対の壁部15ＡＬ、15ＡＲに支持されたシフトフォーク支持軸56に左右摺動自在に支持されて一端側がシフトドラム55に係合する３つのシフトフォーク57が左右動操作される。
【００３８】
各シフトフォーク57はその他端側がそれぞれ、変速ギヤ群50ｇ、52ｇにおいてシフタとなる変速ギヤｍ3、ｍ4と、変速ギヤｃ5と、変速ギヤｃ5とに係合しており、シフトフォーク57によってシフタとなる各ギヤの左右移動が行われて、以上のシフトスピンドル54、シフトドラム55、シフトフォーク57等によって構成される変速操作機構による変速がなされる。
【００３９】
図２に示されるように、メイン軸50の右端部には多板式の摩擦クラッチ60が設けられ、摩擦クラッチ60のクラッチアウタ60ａに共に回転するように支持されるプライマリドリブンギヤ61と、クランク軸２の右端に固定されたプライマリドライブギヤ24とが噛合して、１次減速機構が構成されている。
摩擦クラッチ60の出力側であるクラッチインナ60ｂは、メイン軸50にスプライン嵌合しており、よってクランク軸２の回転が１次減速機構24、61および摩擦クラッチ60を介してメイン軸50に伝達される。
【００４０】
プライマリドライブギヤ24と摩擦クラッチ60の右側は、右クランクケースカバー47Ｒで覆われ、右クランクケースカバー47Ｒは、クランクケース10の右側の壁部である右端側ジャーナル壁15ＡＲ、15ＢＲに、それを覆うように取り付けられている。
【００４１】
摩擦クラッチ60において、クランク軸２の回転動力は、クランク軸２側のプライマリドライブギヤ24、摩擦クラッチ60側のプライマリドリブンギヤ61を介して摩擦クラッチ60に伝達されるが、摩擦クラッチ60は、変速機５のギヤ切換え中にはクランク軸２の回転動力を変速機５に伝達せずにニュートラル状態とし、変速機５のギヤ切換えが終了するとともにクランク軸２の回転動力を変速機５に伝達するように構成されている。
【００４２】
そして、メイン軸50の回転は、変速ギヤ群50ｇ、52ｇの噛合いを介してカウンタ軸52に伝達される。
カウンタ軸52は、出力軸でもあり、クランクケース10を左方に貫通して外部に突出させた左端部に出力スプロケット62が嵌着され、図示しない後輪の被動スプロケットとの間に伝動チェーン63が掛け渡され２次減速機構が構成され、２次減速機構を介して動力が後輪に伝達される。
【００４３】
なお、本実施形態の内燃機関１は水冷内燃機関であり、メイン軸50に回転自在に支持されプライマリドリブンギヤ61とともに回転するポンプ駆動スプロケット25（図２参照）によって、図１中に示されるポンプ軸26が、図示しない駆動チェーン、被動スプロケットを介して回転駆動される。
図１の図示切断面において図示奥側に図示しないオイルポンプが、図示手前側に図示しないウォータポンプが、設けられている。
【００４４】
オイルポンプは、オイルパン14から潤滑用のオイルを、吸入導管27経由吸引して、オイルフィルタ28を介して機内の各所に給油する。
ウォータポンプは、図示しない各冷却水管路、ラジエータ、サーモスタット等の所定の機器を介して、シリンダブロック11、シリンダヘッド12内の水冷ジャケット29に冷却水を循環させて、内燃機関１の冷却を行う。
【００４５】
また、図１から図３に示されるように、本実施形態の内燃機関１においては、上側クランクケース10Ａに、クランク軸２の斜め上方に隣り合って平行に回転自在に支持されるバランサ軸70を備えたバランサ機構７が設けられている。
バランサ軸70は、クランク軸２の後方の一対の壁部をなす左端側ジャーナル壁15ＡＬと右端側ジャーナル壁15ＡＲに、左軸受71Ｌ、右軸受71Ｒを介して回転自在に軸支される。
本実施形態において、左軸受71Ｌと右軸受71Ｒは、ともにボールベアリングである。
また、側面視で、バランサ軸70は、クランク軸２とメイン軸50との間で、それらを結ぶ線より上方に配設されている。
【００４６】
バランサ軸70には、一対の壁部をなす左端側ジャーナル壁15ＡＬと右端側ジャーナル壁15ＡＲとの間で、一方の壁部である左端側ジャーナル壁15ＡＬの内面に対峙するようにバランサ従動ギヤ72が取り付けられており、また、軸方向においてクランク軸２の２箇所のクランクピン部22と一致する位置に、２気筒に即して180度位相をずらした計２個のバランスウエイト73を備えている。
【００４７】
クランク軸２には、一対の壁部をなす左端側ジャーナル壁15ＡＬ、15ＢＬと右端側ジャーナル壁15ＡＲ、15ＢＲとの間で、一方の壁部である左端側ジャーナル壁15ＡＬ、15ＢＬの内面に対峙するように、４つのクランクウエブ48のうちの左端側クランクウエブ48Ｌの左側面に隣接してバランサ駆動ギヤ74が嵌着されている。
【００４８】
本実施形態の内燃機関１においては、バランサ軸70とメイン軸50はクランクケース10の分割面10ａより上方で、上側クランクケース10Ａに軸支されているので、分割面10ａを利用した取り付けができない。
【００４９】
そこで、図３に示されるように、バランサ軸70は、右軸端部70ｂを、クランクケース10の一対の壁部のうちの右側の壁部となる右端側ジャーナル壁15ＡＲのバランサ軸右支持孔70ＨＲに遊貫させた状態で、左側の壁部となる左端側ジャーナル壁15ＡＬのバランサ軸左支持孔70ＨＬに左軸端部70ａを左軸受71Ｌを介して支持させた後、バランサ軸右支持孔70ＨＲに右側から、右軸受71Ｒをバランサ軸70の右軸端部70ｂを挿通させて嵌装することで、バランサ軸70の右軸端部70ｂを右端側ジャーナル壁15ＡＲに支持させている。
【００５０】
メイン軸50も同様に、右軸端部50ｂを、クランクケース10の一対の壁部のうちの右側の壁部となる右端側ジャーナル壁15ＡＲのメイン軸右支持孔50ＨＲに遊貫させた状態で、左側の壁部となる左端側ジャーナル壁15ＡＬのメイン軸左支持孔50ＨＬに左軸端部50ａを左軸受51Ｌを介して支持させた後、メイン軸右支持孔50ＨＲに右側から、右軸受51Ｒをメイン軸50の右軸端部50ａを挿通させて嵌装することで、メイン軸50の右軸端部50ｂを右端側ジャーナル壁15ＡＲに支持させている。
【００５１】
すなわち、バランサ軸70も、メイン軸50も、右端側ジャーナル壁15ＡＲのそれぞれの右支持孔70ＨＲ、50ＨＲに、それぞれの右軸受71Ｒ、51Ｒが嵌入固定され、それぞれの右軸受71Ｒ、51Ｒに、それぞれの右軸端部70ｂ、50ｂが回転自在に支持されている。
したがって、それぞれの右軸受71Ｒ、51Ｒは、右側の壁部である右端側ジャーナル壁15ＡＲに右側から嵌入固定されてはいるが、内燃機関１の運転の振動等による万一の脱落を防止する必要があり、右端側ジャーナル壁15ＡＲの右面に右軸受規制部材80が取り付けられている。
【００５２】
しかしながら、特に、変速ギヤ群（本発明の「歯車」；変速ギヤｍ2を含む）50ｇを支持し、変速操作を受け、動力伝達を行うメイン軸（本発明の「回転軸」）50は、軸方向成分を含む負荷変動、振動を受けるため、メイン軸50の左軸端部50ａを支持する左軸受（本発明の「軸受」）51Ｌもまた軸方向成分を含む負荷変動、振動を受けるものとなるので、図４に示されるように、左軸受51Ｌに対しても万一の脱落を防止するために、左軸受規制部材（本発明の「軸受規制部材」）90が設けられている。
【００５３】
すなわち、メイン軸50の左軸受51Ｌは、クランクケース10（本発明の「変速機ケース」）の左側の壁部となる左端側ジャーナル壁（本発明の「変速機の支持壁」）15ＡＬに設けられたメイン軸左支持孔（本発明の「支持孔」）50ＨＬに、変速機５の内側から嵌められている。
したがって、軸方向成分を含む負荷変動、振動を受けて、左軸受51Ｌが変速機５の内側に抜けて来ることを防止するために、左軸受51Ｌのクランクケース10内側向きの軸方向端面に当接する左軸受規制部材90を備えている。
【００５４】
左軸受51Ｌは、ニードルベアリングであり、その外輪51Ｌａのクランクケース10内側向きの外周端には全周を段状に狭めた段部91が形成されている。
本実施形態のメイン軸50には、左軸受51Ｌ側から順に変速ギヤ群50ｇの変速ギヤｍ2、ｍ6、ｍ4、ｍ3、ｍ5、m1が設けられており、１速に対応する変速ギヤｍ1から６速に対応する変速ギヤｍ6へとその外径が大きくなっている。
【００５５】
したがって、左軸受51Ｌに隣り合う変速ギヤｍ2（本発明の「一小径歯車」）は、メイン軸50の複数の変速ギヤｍ1〜ｍ6のうちで相対的に小径のギヤであり、その隣の変速ギヤ6（本発明の「一大径歯車」）は相対的に大径のギアである。
そのため、変速ギヤｍ2は、隣り合う変速ギヤｍ6よりも外径が小さく、変速ギヤｍ2の外周面が臨むクランクケース10の内面10ｂとの間隔は相対的に大きくなり、本実施形態においては、左軸受規制部材90を取り付けるスペースとしている。
【００５６】
図４に示されるように、本実施形態の左軸受規制部材90は、取り付けられた状態で、その一端側90ａが上下方向に配向し、左軸受51Ｌの外輪51Ｌａの段部91におけるクランクケース10内側向きの軸方向端面92に当接し、左軸受51Ｌを抜け止めしている。
一方、他端側90ｂは、変速ギヤｍ2の外周面が臨むクランクケース10の上壁10ｃの内面10ｂに設けられた取り付けボス部10ｄに当接するように折れ曲がり、ギヤ半径方向の締結ボルト93（本発明の「固定手段」、「締結部材」）が取り付けボス部10ｄの雌ネジ孔10ｅに螺合して、締結されている。
【００５７】
図中、94は、締結ボルト93の緩み止め板（本発明の「緩み止め部材」）であり、締結ボルト93の頭部93ａと左軸受規制部材90との間に挟まれて締結された状態で、頭部93ａと係合して締結ボルト93の回転を規制する。そのため、特別な取付け手段を設けることなく部品点数を抑制しつつ、緩み止めが設けられる。
【００５８】
図５において、左軸受規制部材90は、図示断面より手前に位置するので二点鎖線で示されるが、左軸受規制部材90の形状は、より詳しく図６に示すごときである。
取り付けた状態で下端側に位置する左軸受規制部材90の一端側90ａは、左軸受51Ｌのニードル転動部51Ｌｂ（図４参照）への干渉を避けつつ、外輪51Ｌａの段部91における軸方向端面92への当接を確実にするために、段部91の周面に合わせた凹状弧縁95を有しており、凹状弧縁95が、左軸受51Ｌの外輪51Ｌａの外周端の段部91に嵌るように当接し、左軸受51Ｌ中心側へ移動することなく、段部91の軸方向端面92の押さえを確実にしている。
左軸受規制部材90の水平方向に折れ曲げられた他端側90ｂには、締結ボルト93を挿通させる締結ボルト孔96が設けられている。
【００５９】
本実施形態においては、締結ボルト93は、変速ギヤｍ2の外周面が臨むクランクケース10の内面10ｂとの間隔内にその頭部93ａを位置させているので、相対的に外径の大きいギヤ、例えば変速ギヤｍ6の外周面に臨む位置に設けられる場合に比べ、締結ボルト93をメイン軸50中心により近く位置させることができるため、クランクケース10の小型化が図られている。
またさらに、締結ボルト93の頭部93ａは、図５に示されるように、メイン軸50の軸方向視で、相対的に大径の変速ギヤｍ6と重なるように配置されているので、変速ギヤｍ2により接近して位置するものとなり、クランクケース10のより小型化が図られている。
【００６０】
また、締結ボルト93は、左端側ジャーナル壁15ＡＬではなく、クランクケース10の上壁10ｃの内面10ｂに、メイン軸50の直上において、ギヤ半径方向の締結ボルト93で固定されるので、左軸受規制部材90は短く構成できるほか、締結ボルト93と変速ギヤｍ1〜ｍ6の側面との干渉が回避できるため干渉回避のための軸方向の間隙を要さず、そのためのメイン軸50の軸長の増大を招くことがない。
そして、左端側ジャーナル壁15ＡＬに締結ボルト93の取り付け用の雌ネジ孔を設けないので、左軸受51Ｌを支持する左端側ジャーナル壁15ＡＬの剛性を減じることがない。
【００６１】
図７に、左軸受規制部材90の変形例としての他の左軸受規制部材190の形状を示す。
左軸受規制部材190は、取り付けた状態で下端側に位置する一端側190ａが逆さＹ字状に形成され、幅広の凹状弧縁195が設けられた点が異なり、他は同じである。凹状弧縁195は、左軸受51Ｌの外輪51Ｌａの外周端の段部91の周面に嵌るように当接しており、左軸受51Ｌ中心側へ移動することなく、段部91の軸方向端面92の押さえを確実にしている。
左軸受規制部材190の水平方向に折れ曲げられた他端側190ｂには、締結ボルト93を挿通させる締結ボルト孔196が設けられている。
変形例としての左軸受規制部材190によれば、逆さＹ字状に形成された一端側190ａの幅広の凹状弧縁195により、段部91の軸方向端面92の押さえが、より確実となる。
【００６２】
図４に示されるように、本実施形態の内燃機関１のクランクケース（変速機ケース）10の上壁10ｃには、回転センサ85が、上壁10ｃに開けられたセンサ取付け孔86に上方から挿入されて、メイン軸50に向けて締結固定されている。
回転センサ85は、締結ボルト93の頭部93ａに臨むメイン軸50の変速ギヤｍ2ではなく、変速ギヤｍ5（本発明の「他の歯車」）の歯面ｍ5ｔに向けて配設されている。そのため、回転センサ85と締結ボルト93との干渉が防止される。
【００６３】
回転センサ85は磁気センサであり、変速ギヤｍ5の歯先が通過するときの磁束変化を電気信号に変換して回転速度を検出するものである。
図３に示されるように、メイン軸50の変速ギヤｍ5は空転歯車であり、メイン軸50と連動していない。メイン軸50の変速ギヤｍ5は、出力軸であるカウンタ軸52の空転不可・軸方向摺動可能な変速ギヤｃ5に常時噛み合っているので、カウンタ軸52と連動している。カウンタ軸52は、更に、カウンタ軸52に設けられた出力スプロケット62と伝動チェーン63を介して図示しない自動二輪車の後輪に連動している。自動二輪車の後輪の回転速度は、ほぼ自動二輪車の対地速度に比例している。したがって、回転センサ85の検出したメイン軸50の変速ギヤｍ5の回転速度を基にして、自動二輪車の速度を算出することが可能である。
【００６４】
メイン軸50に空転可能に備えられ、カウンタ軸52の空転不可・軸方向摺動可能な変速ギヤと常時噛み合う変速ギヤとしては、変速ギヤｍ6も該当するが、本実施形態においては、締結ボルト93の頭部93ａに臨む変速ギヤｍ２と離れた変速ギヤｍ5の歯面ｍ5ｔに向けて回転センサ85が配設されているので、締結ボルト93と回転センサ85とはそれぞれ、メイン軸50に、軸方向においてその両端寄りに互いに離れて配置されており、効率のよい分配配置となり、変速機５の大型化が抑制されている。
【００６５】
また、図５に示されるように、左軸受規制部材90の締結ボルト93は、前述のようにメイン軸50の直上に配設されているが、回転センサ85は、メイン軸50を中心にやや前傾回転した位置に取り付けられている。
したがって、締結ボルト93と回転センサ85とは、前記回転軸の軸方向視で重ならないように、メイン軸50の周方向にずらして配置されており、締結ボルト93が螺合する雌ネジ孔10ｅと回転センサ85のセンサ取付け孔86との位置が重ならないので、クランクケース10の剛性の低下が抑制されている。
【００６６】
以下に、上述の本実施形態の変速機の軸受支持構造の特徴を纏めて説明する。
すなわち、変速ギヤ群50ｇを支持するメイン軸50と、メイン軸50および変速ギヤ群50ｇを収容するクランクケース（変速機ケース）10と、クランクケース10の左端側ジャーナル壁15ＡＬに設けられたメイン軸左支持孔50ＨＬにクランクケース10の内側から嵌められて、メイン軸50を回転自在に支持する左軸受51Ｌとを備えた変速機５の軸受支持構造において、左軸受51Ｌの、クランクケース10内側向きの軸方向端面92に、一端側90ａ,190ａが当接して左軸受51Ｌを抜け止めし、他端側90ｂ,190ｂが、左端側ジャーナル壁15ＡＬ以外の、変速ギヤ群50ｇの外周面が臨むクランクケース10の上壁10ｃの内面10ｂに、締結ボルト93によって固定された左軸受規制部材90,190を備えている。
【００６７】
そのため、一端側90ａ,190ａが左軸受51Ｌに当接して左軸受51Ｌの抜け出しを防止する左軸受規制部材90,190が、その他端側90ｂ,190ｂにおいて、変速ギヤ群50ｇの外周面が臨むクランクケース10の上壁10ｃの内面10ｂに固定されたので、左軸受51Ｌを支持する左端側ジャーナル壁15ＡＬや、左軸受51Ｌが嵌められるメイン軸左支持孔50ＨＬの内周面に凹部や貫通孔が形成されることがないため、左端側ジャーナル壁15ＡＬの剛性を保つことができる。
そして、左軸受規制部材90,190の締結ボルト93が、左端側ジャーナル壁15ＡＬ以外の、変速ギヤ群50ｇの外周面が臨むクランクケース10の上壁10ｃの内面10ｂに配置されるので、締結ボルト93と変速ギヤ群50ｇの側面との干渉が回避できるため、メイン軸50の軸長の増大を防止でき、内燃機関１に組み込まれた変速機５においては内燃機関１のメイン軸50方向の大型化を防止できる。
【００６８】
また、締結ボルト93は、メイン軸50の直上のクランクケース10の上壁10ｃに取り付けられたので、直上からずらして取り付けられた場合と比べて、左軸受規制部材90,190を短く構成できる。
【００６９】
また、締結ボルト93は頭部93ａを有するボルトであり、メイン軸50には、左軸受51Ｌに隣り合って外径が異なる変速ギヤ群50ｇが並んで支持され、変速ギヤ群50ｇのうちで相対的に小径の変速ギヤｍ２の外周面に臨み、変速ギアｍ２の歯車幅寸法内に位置するように頭部93ａが取り付けられたので、相対的に大径の変速ギヤｍ6に臨んで位置させた場合に比べて、締結ボルト93をメイン軸50中心により近く位置させることができるため、クランクケース10を小型化できる。
【００７０】
また、左軸受規制部材90,190の締結ボルト93の頭部93ａが、メイン軸50の軸方向視で、変速ギヤ群50ｇのうちで相対的に大径の変速ギヤｍ6と重なる位置に配置されたので、頭部93ａは、変速ギヤｍ2により接近して位置するものとなり、クランクケース10をより小型化できる。
【００７１】
また、左軸受規制部材90,190と締結ボルト93の頭部93ａとの間に、頭部93ａと係合して締結ボルト93の回転を規制する緩み止め板94が挟まれて、左軸受規制部材90,190が固定されたので、他の特別な取付け手段が不要となり、部品点数を削減できる。
【００７２】
そして、メイン軸50の変速ギヤ群50ｇのうち、締結ボルト93の頭部93ａに臨む変速ギヤｍ2と異なる変速ギヤｍ5の歯面ｍ5ｔに向けて、クランクケース10の上壁10ｃに回転センサ85が取り付けられたので、回転センサ85と締結ボルト93との干渉を防止できる。
【００７３】
また、締結ボルト93と回転センサ85とはそれぞれ、メイン軸50に、軸方向においてその両端寄りに互いに離れて配置され左右に振り分けられたので、効率よく分配配置され、変速機５の大型化を抑制できる。
【００７４】
また、クランクケース10の上壁10ｃのセンサ取付け孔86から挿入される回転センサ85と、上壁10ｃに取付けられる締結ボルト93とが、メイン軸50の周方向にずらされたので、センサ取付け孔86と、締結ボルト93が螺合する雌ネジ孔10ｅとの位置が重ならないため、クランクケース10の剛性の低下を抑制できる。
【００７５】
以上、本発明の一実施形態の変速機の軸受支持構造につき述べたが、本発明は各請求項の要旨の範囲内で、上記実施形態と異なる態様を含むことは勿論である。
例えば、本発明の変速機の軸受支持構造を備える内燃機関は、上記実施形態の水冷直列２気筒の４ストロークサイクル内燃機関に限定されず、車両搭載の場合は自動二輪車に限定されず、また、車両搭載用内燃機関に限定されない。
また、本発明の変速機ケースは、請求項１の構成を備える多様な変速機ケースでよく、また、歯車を支持する回転軸の軸受に対する「軸受規制部材」を備え、変速機を組み込んだ変速機ケースであれば、実施形態の構造に限定されない。
各請求項における「支持壁」は実施形態の左端側ジャーナル壁に限定されず、「軸受」、「回転軸」はメイン軸に限定されず、各請求項の要旨に合致する他のものの場合においても、本発明は有効に適用される。
【符号の説明】
【００７６】
５…変速機、10…クランクケース（本発明の「変速機ケース」）、10ｂ…内面、10ｃ…上壁、15ＡＬ…左端側ジャーナル壁（一対の壁部のうち左側の壁部、本発明の「変速機の支持壁」）、50…メイン軸（本発明の「回転軸」）、50ＨＬ…メイン軸左支持孔（本発明の「支持孔」）、50ｇ…変速ギヤ群（本発明の「歯車」）、ｍ2…変速ギヤ（本発明の「一小径歯車」）、ｍ5…変速ギヤ（本発明の「他の歯車」）、ｍ5ｔ…歯面（本発明の「他の歯車の歯面」）、ｍ6…変速ギヤ（本発明の「一大径歯車」）、51Ｌ…左軸受（本発明の「軸受」）、85…回転センサ、86…センサ取付け孔、90…左軸受規制部材（本発明の「軸受規制部材」）、90ａ…一端側、90ｂ…他端側、92…軸方向端面、93…締結ボルト（本発明の「固定手段」、「締結手段」）、94…緩み止め板（本発明の「緩み止め部材」）、190…左軸受規制部材（本発明の「軸受規制部材」）、190ａ…一端側、190ｂ…他端側
【図１】
0005694879.tif 000002
【図２】
0005694879.tif 000003
【図３】
0005694879.tif 000004
【図４】
0005694879.tif 000005
【図５】
0005694879.tif 000006
【図６】
0005694879.tif 000007
【図７】
0005694879.tif 000008